(57)【要約】【課題】毛髪の傷みを抑えて毛髪に所望の形状を付与することができる、毛髪形状処理器および毛髪形状処理方法を提供する。【解決手段】ヘアアイロン１は、第１のアーム２と、第１のアーム２の端部に軸部７を軸に回動可能に取付けられた端部を有する第２のアーム３と、第１のアーム２の第２のアーム３に対向する領域である第１の接触領域２Ａおよび第２のアーム３の第１のアーム２に対向する領域である第２の接触領域３Ａに６０００〜１５０００Ｈｚの周波数の振動を与える振動発生手段４と、第１の接触領域２Ａおよび第２の接触領域３Ａに取付けられると共に、トルマリンまたはケラチンが練り込まれてセラミックコートが施された発熱体プレート５とを備える。【選択図】図１
2013154035.tif 000002
【特許請求の範囲】
【請求項１】
第１のアームと、
該第１のアームの端部に回動可能に取付けられた端部を有する第２のアームと、
前記第１のアームの前記第２のアームに対向する領域である第１の接触領域および前記第２のアームの前記第１のアームに対向する領域である第２の接触領域の少なくとも一方に６０００〜１５０００Ｈｚの周波数の振動を与える振動発生手段とを備える
毛髪形状処理器。
【請求項２】
前記第１の接触領域および前記第２の接触領域の少なくとも一方に取付けられると共に、トルマリンまたはケラチンが練り込まれてセラミックコートが施された発熱手段を備える
請求項１に記載の毛髪形状処理器。
【請求項３】
前記振動発生手段は、６０００〜１００００Ｈｚの周波数の振動を、前記第１の接触領域および前記第２の接触領域の少なくとも一方に与える
請求項１または請求項２に記載の毛髪形状処理器。
【請求項４】
毛髪に、６０００〜１５０００Ｈｚの周波数の振動を与えて、毛髪に所望の形状を付与する
毛髪形状処理方法。
【発明の詳細な説明】
【技術分野】
【０００１】
本発明は毛髪形状処理器および毛髪形状処理方法に関する。詳しくは、例えば乾燥した毛髪、あるいは還元剤が塗布された毛髪に所望の形状を付与するための毛髪形状処理器および毛髪形状処理方法に係るものである。
【背景技術】
【０００２】
人は、ヘアアイロン等の毛髪形状処理器を用いて、自然な毛髪にストレートパーマやウェーブパーマのような形状を施す処理、あるいはトリートメントといった人工的な処理を自分の満足に値する様に施すことにより、自己の美意識を満足させている。
【０００３】
また、縮毛などの身体特徴ともいえる、自己の美意識という観点で解決したい毛髪に関しては、専門美容室などで対価を支払い、縮毛矯正という処方をサービスとして（一定期間ごとに反復して）提供されることで自己の美意識を満足させている。
【０００４】
また、人が、自分自身で、自宅で、毎日の毛髪処理の際に、施術時間を短縮し、施術時の髪が傷みにくいことから施術後の仕上がりがきれいにできるヘアアイロンが幾つか提案されている。
【０００５】
例えば特許文献１には、軸１０２により開閉可能に枢着された一対の腕体１０１を備え、腕体１０１の基端側が把持部１１０として形成されると共に、先端側が腕体１０１の開閉に伴って近接離反する毛髪挟持腕１１１として形成された、ヘアアイロンが記載されている。また、毛髪挟持腕１１１の内部には、電熱ヒータが組み込まれ、毛髪挟持腕１１１を加熱させる。また、毛髪挟持腕１１１が挟持面１１２を露出する状態で断熱材１０４により被覆されている。
【先行技術文献】
【特許文献】
【０００６】
【特許文献１】登録実用新案第３０５７０４６号公報
【発明の概要】
【発明が解決しようとする課題】
【０００７】
しかしながら、特許文献１に記載のヘアアイロンでは、単に毛髪を、発熱体（電熱ヒータ）によって加熱するだけであったので、ヘアアイロンを使用する人の髪質や扱い能力によっては、施術時間が比較的長くかかっていた。
【０００８】
これにより、１６０〜１８０℃、縮毛矯正を含むストレートパーマのような状態を得るには１８０〜２００℃という発熱体の高い熱を毛髪に加えながら、何度も挟持面を毛髪に摩擦させるため、毛髪が傷み、しかも所望の毛髪形状に処理できにくいという問題があった。
【０００９】
また、熱を利用した毛髪形状の処理では、利用者はその処理の間、熱い電熱器を、頭部、顔、鎖骨、耳などに近付け続けなければならない等、忍耐を必要とした。また、温度調節を誤った場合には、毛髪を著しく傷める、あるいは頭皮、おでこ、顔、耳、鎖骨などに火傷を与える等の種々の問題があった。
【００１０】
本発明は、以上の点に鑑みて創案されたものであり、毛髪の傷みを抑えて毛髪に所望の形状を付与することができる、毛髪形状処理器および毛髪形状処理方法を提供することを目的とする。
【課題を解決するための手段】
【００１１】
上記の目的を達成するために、本発明の毛髪形状処理器は、第１のアームと、該第１のアームの端部に回動可能に取付けられた端部を有する第２のアームと、前記第１のアームの前記第２のアームに対向する領域である第１の接触領域および前記第２のアームの前記第１のアームに対向する領域である第２の接触領域の少なくとも一方に６０００〜１５０００Ｈｚの周波数の振動を与える振動発生手段とを備える。
【００１２】
また、上記の目的を達成するために、本発明の毛髪形状処理方法は、毛髪に、６０００〜１５０００Ｈｚの周波数の振動を与えて、毛髪に所望の形状を付与する。
【００１３】
ここで、６０００〜１５０００Ｈｚの周波数の振動を第１の接触領域および第２の接触領域の少なくとも一方に与える、すなわち６０００〜１５０００Ｈｚの周波数の振動を毛髪に与えるので、２つのアームが常に毛髪に接触するのではなく、接触と非接触を細かく繰り返し、２つのアームによる毛髪の挟み過ぎ（毛髪が偏平化する恐れ）を回避できる。
なお、本発明の「第１の接触領域」および「第２の接触領域」は、毛髪に接触させる領域を示す。
【００１４】
また、周波数が１５０００Ｈｚを超えると、超音波領域となり、毛髪に塗布された液剤を瞬時にミスト化してしまい、使用者の任意のスタイリング剤などを自由に使えず、薬剤の効能発揮を保証できなくなるおそれがあり、また、超音波の人体（特に脳）への悪影響も考えられるので、好ましくない。
【００１５】
また、本発明の毛髪形状処理器は、第１の接触領域および第２の接触領域の少なくとも一方に取付けられると共に、トルマリンまたはケラチンが練り込まれてセラミックコートが施された発熱手段を備えるものとすることができる。
【００１６】
この場合、セラミックコートが施されているので、毛髪との摩擦抵抗を軽減でき、キューティクルの損傷を軽減できる。
また、トルマリンが練り込まれている場合、発熱手段の熱と、毛髪に接触した時の圧力によってマイナスイオンが発生し、傷んだ毛髪（特に乾燥）に潤いを与え、傷んだキューティクルを修復することができる。
また、ケラチンが練り込まれている場合、発熱手段が毛髪に接触することで、毛髪のタンパク成分が熱変成を起こす際に、タンパク成分を補うことができる。
また、発熱手段が、振動により毛髪への接触と非接触を細かく繰り返すので、毛髪への過度の加熱を予防でき、毛髪組成のタンパク質の変性リスクを低減できる。
【００１７】
また、本発明の毛髪形状処理器において、振動発生手段は、６０００〜１００００Ｈｚの周波数の振動を、第１の接触領域および第２の接触領域の少なくとも一方に与えるものとすることができる。
【００１８】
この場合、周波数がさらに超音波領域から離れるので、安心である。
【発明の効果】
【００１９】
本発明に係る毛髪形状処理器は、毛髪の傷みを抑えて毛髪に所望の形状を付与することができる。
本発明に係る毛髪形状処理方法は、毛髪の傷みを抑えて毛髪に所望の形状を付与することができる。
【図面の簡単な説明】
【００２０】
【図１】本発明のヘアアイロンの一例を示す概略図である。
【図２】本発明のヘアアイロンを用いたときの毛髪の様子を示す概略図である。
【図３】従来のヘアアイロンを用いたときの毛髪の様子を示す概略図である。
【図４】従来のヘアアイロンを示す概略図である。
【発明を実施するための形態】
【００２１】
以下、本発明の実施の形態について図面を参照しながら説明し、本発明の理解に供する。
図１は、本発明のヘアアイロンの一例を示す概略図である。
【００２２】
本発明のヘアアイロン（毛髪形状処理器の一例である。）１は、第１のアーム（ロッド）２と、第１のアーム２の端部に軸部７を軸に回動可能に取付けられた端部を有する第２のアーム（ロッド）３とを備える。
【００２３】
また、ヘアアイロンには、第１のアームと第２のアームの形状によって、平アイロンあるいは丸アイロンなど種々の形態があり、図１に示す例では、平アイロンを示す。
【００２４】
また、本発明のヘアアイロン１は、第１のアーム２の第２のアーム３に対向する領域である第１の接触領域２Ａおよび第２のアーム３の第１のアーム２に対向する領域である第２の接触領域３Ａに６０００〜１５０００Ｈｚの周波数の振動を与える振動発生手段４を備える。
【００２５】
また、振動発生手段４が与える振動の周波数は、更に具体的には、例えば、６２５０〜１５０００Ｈｚ、６５００〜１５０００Ｈｚ、６７５０〜１５０００Ｈｚとすることもできる。
【００２６】
ここで、振動発生手段４は、図１に示すように、第１のアーム２および第２のアーム３それぞれに内蔵されている。
また、図１の例では、第１のアームの第１の接触領域と、第２のアームの第２の接触領域とに振動を与えているが、第１のアームの第１の接触領域および第２のアームの第２の接触領域のいずれか一方だけに振動を与えてもよいことは勿論である。
【００２７】
また、本発明のヘアアイロン１は、第１の接触領域２Ａおよび第２の接触領域３Ａに取付けられると共に、トルマリンまたはケラチンが練り込まれてセラミックコートが施された発熱体プレート（発熱手段の一例である。）５を備える。
なお、第１の接触領域２Ａおよび第２の接触領域３Ａのいずれか一方だけに発熱体プレートを取付けてもよいことは勿論である。
【００２８】
また、振動発生手段としては、６０００〜１５０００Ｈｚの周波数の振動を発生することができれば、どのような種類のものでもよく、例えば電動モータ、周波数の振動によっては加圧素子を用いたくさび型超音波モータあるいは進行波型超音波モータ、定在波型・縦屈曲多重振動子を用いた超音波モータ、または共振型・縦屈曲多重振動子によるモータを用いることができる。
【００２９】
また、本発明のヘアアイロン１は、振動振幅の大きさを制御することができるように、コントロールスイッチ６を備えている。
【００３０】
また、本発明のヘアアイロン１は、ヘアアイロン自体を共振させ、あるいは毛髪に直に接する第１のアームおよび第２のアームを共振させて、振幅を増大して用いることができるように、また、その共振周波数を変化させることができるように、周波数の切替スイッチを備えることが好ましい。
【００３１】
また、第１のアームおよび第２のアームの共振周波数を変化させることは、第１のアームおよび第２のアームの厚みや幅や形状を変え、さらにその曲率を変えるか、または軸部７に振動共振調整機構を設けるなどして行なうことができる。
【００３２】
また、高周波振動子の素材は限定されない。また、高周波振動子を振動させる高周波振動発生器は限定されない。例えば、高周波領域の電気信号を発生させる電気信号発生部と、この高周波発生部からの信号を高周波領域の機械的振動に変換するコンバータ（圧電素子）、ブースタを経て高周波振動させる、このような一連の装置が挙げられる。
【００３３】
また、本発明の毛髪形状処理器において、少なくとも十数本の毛髪に同時に強い接触圧力を与えることができるような大きな振幅を得ることができるように、形態（構造、形状、材質）を考慮するが、振動の振幅を大きくすることにより施術しにくい状況が認められる場合は、例えばコントロールスイッチ付近（把持領域）に防振部材を取付けることが好ましい。
【００３４】
また、周波数を一定として、振動発生手段への入力エネルギーを変化させた場合には、大きなエネルギーを入力して振動の振幅を大きくすることにより、毛髪への形状付与が良好に行われることが確認された。
【００３５】
ここで、本発明の毛髪形状処理器が、第１のアームと、第１のアームの端部に回動可能に取付けられた端部を有する第２のアームと、第１のアームの第２のアームに対向する領域である第１の接触領域および第２のアームの第１のアームに対向する領域である第２の接触領域の少なくとも一方に６０００〜１５０００Ｈｚの周波数の振動を与える振動発生手段とを備えるのであれば、必ずしも本発明の毛髪形状処理器は、トルマリンまたはケラチンが練り込まれてセラミックコートが施された発熱手段（発熱体プレート）を備えていなくてもよい。
【００３６】
しかし、本発明の毛髪形状処理器が、トルマリンまたはケラチンが練り込まれてセラミックコートが施された発熱手段を備えていれば、発熱手段が、振動により毛髪への接触と非接触を細かく繰り返すので、毛髪への過度の加熱を予防でき、毛髪組成のタンパク質の変性リスクを低減できるので好ましい。
【００３７】
また、セラミックコートが施されているので、毛髪との摩擦抵抗を軽減でき、キューティクルの損傷を軽減できるので、好ましい。
また、トルマリンが練り込まれている場合、発熱手段の熱と、毛髪に接触した時の圧力によってマイナスイオンが発生し、傷んだ毛髪（特に乾燥）に潤いを与え、傷んだキューティクルを修復することができるので好ましい。
また、ケラチンが練り込まれている場合、発熱手段が毛髪に接触することで、毛髪のタンパク成分が熱変成を起こす際に、タンパク成分を補うことができるので好ましい。
【００３８】
また、本発明の毛髪形状処理方法は、本発明の毛髪形状処理器を用いて、第１のアーム２と第２のアーム３とで毛髪を挟んで動かし、毛髪に、６０００〜１５０００Ｈｚの周波数の振動を与えて、毛髪に所望の形状を付与する方法である。
このとき、第１の接触領域２Ａおよび第２の接触領域３Ａに取付けられた発熱体プレート５が毛髪に接触する。
【００３９】
また、本発明の毛髪形状処理方法は、特には、乾燥した状態の毛髪、あるいは保護剤を塗布或いはスプレーして保護処理した後の毛髪、または毛髪処理剤を塗布した後の毛髪に実施する。
【００４０】
ここで、毛髪処理剤とは、ヘアトリートメント剤、ヘアスタイリング剤、ヘアムース剤、ヘアジェル剤等をいう。
【００４１】
なお、この処理に先立って、利用者の毛髪がどんな性質の毛髪であるかを診断しておくことが好ましい。
【００４２】
この毛髪診断においては、ウェーブパーマ等が掛かり難い性質であるか否か、あるいは毛髪の傷み具合はどの程度か、根元と毛先で性質に違いがあるか等の診断を行う。こうして、利用者の知見に基づいて、その毛髪の性質に適した発熱体プレートの設定温度を選定することにより、まずは毛髪へのダメージを低減し、本発明を有効に利用することができる。
【００４３】
例えば、硬い毛髪は１６０〜１８０℃、縮毛矯正を含むストレートパーマのような状態を得るには１８０〜２００℃、軟らかい毛髪には１４０〜１６０℃など低い温度設定を選定することが好ましい。利用者が分からない場合は、毛髪形状処理器の設定可能な最低温度から徐々に試行しながら最適温度をも確認しておくことも薦める。
【００４４】
また、ウェーブパーマを施す場合の一つの方法は、毛髪をコーミングしながら一定量ほどを握り取り、その毛髪の束を生え際から毛先まで揃え、ヘアアイロンで毛髪に一定方向のウェーブ（カール）を付けたり、生え際から毛先まで略均一のテンションが掛かるようヘアロッドに巻き付けたりすることで、所望の形状に処理する方法である。
【００４５】
一方、ストレートパーマを施す場合のひとつの方法は、毛髪をコーミングして一定量ほど握りとった毛髪の束を、生え際から毛先まで揃え、生え際から毛先まで揃え、ヘアアイロンでストレートになるように処理する方法である。
【００４６】
本発明の毛髪形状処理器を用いることで、ウェーブあるいはストレートといった形状付与処理を、従来に比べ、短時間でスムーズに行うことができるようになる。これは、６０００〜１５０００Ｈｚの周波数の振動を毛髪に付与することで、促進されているものと考えられる。
【００４７】
すなわち、従来はどれだけ摩擦抵抗軽減化を兼ね備える発熱体プレートを使用しても、一般の利用者はとりわけ、髪の挟み過ぎ（毛髪が扁平化する恐れ）を感覚的に回避できなかったところを、振動により強制的・機構的に、発熱体プレートと毛髪が、接触と非接触を繊細に繰り返していることで予防し、その結果、毛髪への過度の加熱を結果的に回避させている。
【００４８】
また、利用者ごとの毛髪矯正力を発揮できる温度設定よりも、物理的に毛髪表面への発熱体プレートからの熱伝導が非連続化することも考えられる。
【００４９】
また、図２は、本発明のヘアアイロンを用いたときの毛髪の様子を示す概略図であるが、図２に示すように、６０００〜１５０００Ｈｚの周波数の振動は、利用者が取り分けて分割した毛髪８の束の１本１本の整列を促進するため、発熱体プレート５の熱やアームでの毛髪に対する所望の形状付与をより細部にまで及ぼすことができるようになる。
その結果、従来に比べて、繊細な形状付与を行うことができるようになり、仕上がりをキレイにすることができる。
【００５０】
一方、図３は、従来のヘアアイロンを用いたときの毛髪の様子を示す概略図であるが、６０００〜１５０００Ｈｚの周波数の振動を付与しないで、毛髪挟持腕１１１によって熱を加えて毛髪８を挟むと、毛髪８は１本１本整列することなく、そのままの位置で偏平化してしまうだけである。
【００５１】
なお、上述したように、所定の振動の付与という物理的な処理によって、毛髪矯正力が高められるであろうことを考慮すると、本発明において、例えば１００００Ｈｚまでの周波数を用いた場合、毛髪に塗布した液状のトリートメント剤がミスト化し、毛髪への浸透を促進する効果を奏することが期待される。
【００５２】
また、この処理に先立って、利用者の毛髪がどんな性質の毛髪であるかを診断しておくことが好ましいわけだが、施術者の診断、あるいは利用者自身の知見に基づいて、その毛髪の性質に適した周波数も選定することにより、その周波数特性から、太い髪の場合と細い髪の場合で試行しながら施術することで、太い髪の場合と細い髪の場合で仕上がりの良さの効率化を模索できることも期待される。
【００５３】
そこで、一人の毛髪（普通の太さ、硬い髪）にトリートメント剤を塗布して、一部の毛髪の束については振動を与えずに、一方、別の一部の毛髪の束については６０００〜１５０００Ｈｚの周波数の振動を与えつつ、それぞれ同時間（７〜８秒ほど）で同形状のヘアアイロンを用いて処理したところ、振動を与えた場合には、推奨温度（１６０〜１８０℃）から１０％〜２０％低い１５０℃という温度にて所望の形状を付与することができ、使用のトリートメント剤が謳う程度の毛髪の艶がよくなることが確認された。付属のヘアロッドカートリッジを装着しても同様であった。
【００５４】
また、発熱体プレートに、トルマリンまたはケラチンを練り込ませてセラミックコートを施しているが、例えばヘアロッドカートリッジの毛髪接触部位に、トルマリンまたはケラチンを練り込ませてセラミックコートを施すこともできる。
このような場合でも、発熱体プレートからの熱が、ヘアロッドカートリッジに練り込まれたトルマリンに伝わり、マイナスイオンを発生させることができる。
【００５５】
なお、ヘアロッドカートリッジは、例えば、ヘアアイロンのアーム（ロッド）が挿入されるよう構成された凹部を有すると共に断面が円形状のものである。
【００５６】
また、一人の毛髪（普通の太さ、硬い髪）にトリートメント剤を塗布せず、一部の毛髪の束については振動を与えずに、一方、別の一部の毛髪の束については６０００〜１５０００Ｈｚの周波数の振動を与えつつ、それぞれ同時間（７〜８秒ほど）で同形状のヘアアイロンを用いて処理しても、振動を与えた場合には、推奨温度（１６０〜１８０℃）から１０％〜２０％低い１５０℃という温度にて所望の形状を付与することができ、毛髪の艶がよくなることが確認された。付属のヘアロッドカートリッジを装着しても同様であった。
【００５７】
すなわち、乾燥した状態の毛髪、あるいはトリートメント剤等を塗布した毛髪に、６０００〜１５０００Ｈｚの周波数の振動を加えて処理した場合には、トリートメント剤が従来に比べて短い時間で毛髪の細部にまで浸透し、その効果を十分に発揮させると共に、トリートメント剤を塗布しない場合でも、所望の形状を付与するうえで、時間の短縮と、ヘアアイロンの発熱体プレートの温度設定を従来のヘアアイロンの温度設定より低くできることで、毛髪への熱負担を軽減し、仕上がりをよくすることが可能となる。
【００５８】
ところで、ヘアアイロンの第１のアームと第２のアームを振動させて毛髪に振動を付与する場合には、大きく分けて、一方のアームのみを振動させる方法、両方のアームを振動させる方法、双方のアームを交互に振動させる方法の３つがあり、本発明においては、毛髪の処理形状に合わせて、これらのいずれの方法を用いてもよい。
【００５９】
以上のように、本発明の毛髪形状処理器や毛髪形状処理方法は、６０００〜１５０００Ｈｚの周波数の振動を第１の接触領域および第２の接触領域の少なくとも一方に与える、すなわち６０００〜１５０００Ｈｚの周波数の振動を毛髪に与えるので、２つのアームが常に毛髪に接触するのではなく、接触と非接触を細かく繰り返し、２つのアームによる毛髪の挟み過ぎ（毛髪が偏平化する恐れ）を回避できる。
【００６０】
従って、本発明の毛髪形状処理器や毛髪形状処理方法は、毛髪の傷みを抑えて毛髪に所望の形状を付与することができる。
【００６１】
また、６０００〜１５０００Ｈｚの周波数の振動を与えられる第１の接触領域および第２の接触領域の少なくとも一方に発熱手段（発熱体プレート）が取付けられているので、発熱手段も振動し、発熱手段が、振動により毛髪への接触と非接触を細かく繰り返すので、毛髪への過度の加熱を予防できる。
【００６２】
また、６０００〜１５０００Ｈｚの周波数の振動は、利用者が取り分けて分割した毛髪の束の１本１本の整列を促進するため、トリートメント剤などの薬剤を使っても使わなくても、発熱手段の熱やアームでの毛髪に対する所望の形状付与をより細部にまで及ぼすことができるようになる。
その結果、本発明の毛髪形状処理器や毛髪形状処理方法によって、従来に比べて、繊細な形状付与を行うことができるようになり、仕上がりをキレイにすることができる。
【００６３】
また、６０００〜１５０００Ｈｚの周波数の振動を毛髪に与えるので、所望の形状を付与するうえで、時間の短縮と、ヘアアイロンの発熱体プレートの温度設定を従来のヘアアイロンの温度設定より低くできることで、毛髪への熱負担を軽減できる。
その結果、本発明の毛髪形状処理器や毛髪形状処理方法によって、一般の人が、その美意識の充足のために、自ら、自宅で毎日行なうヘアスタイリングを従来に比べて短時間で行なうことができ、毛髪の傷みも軽減して、施術後の仕上がりをキレイにできる。
【符号の説明】
【００６４】
１    ヘアアイロン
２    第１のアーム
２Ａ  第１の接触領域
３    第２のアーム
３Ａ  第２の接触領域
４    振動発生手段
５    発熱体プレート
６    コントロールスイッチ
７    軸部
８    毛髪
【図１】
2013154035.tif 000003
【図２】
2013154035.tif 000004
【図３】
2013154035.tif 000005
【図４】
2013154035.tif 000006